(57)【特許請求の範囲】
【請求項１】
矩形状を成す面材の四周にそれぞれ面材フレームを備えた建具に対して、前記面材の表面を覆う状態で互いに平行に配置された一対の面材フレームの間に化粧パネルを取り付ける構造であって、
前記一対の面材フレームに対向する化粧パネルの両側縁部に取り付けられ、前記化粧パネルの見込み面からそれぞれ対向する面材フレームに向けて突出したパネル側取付片部材と、
前記一対の面材フレームの見込み面において少なくとも前記化粧パネルの四隅に対応する部位からそれぞれ他方の面材フレームに向けて突出するように取り付けられ、前記化粧パネルを前記面材に対向させた状態で前記一対の面材フレームの間に前記化粧パネルを配置した場合に前記パネル側取付片部材に重ね合わされるフレーム側取付片部材と
を備え、
前記一対の面材フレームに対向する前記化粧パネルの見込み面それぞれには、一方の端部に位置決め突起部材が突出され、前記位置決め突起部材は、前記化粧パネルを前記一対の面材フレームの間に配置した場合に前記フレーム側取付片部材の一方と前記面材との間に配置される位置に設けられ、
前記位置決め突起部材を前記フレーム側取付片部材の一方と前記面材との間に配置した状態で、もう一方のフレーム側取付片部材と前記パネル側取付片部材との間にパネル取付用ネジ部材を螺合させることを特徴とする化粧パネルの取付構造。
【請求項２】
前記化粧パネルは、前記一対の面材フレームの間に配置される大きさを有し、かつ互いに端縁部を介して着脱可能に連結される単位パネル要素を備え、前記単位パネル要素を複数連結することによって構成したことを特徴とする請求項１に記載の化粧パネルの取付構造。
【請求項３】
前記一対の面材フレームの見込み面には、前記フレーム側取付片部材よりも前記面材に近接する部分から前記フレーム側取付片部材に対向するように突出し、前記パネル側取付片部材との連結部分を覆うフレーム側カバー部材を取り付けたことを特徴とする請求項１に記載の化粧パネルの取付構造。
【請求項４】
前記建具は、前記面材であるガラスの両端部に前記面材フレームとして縦框を備えたものであり、
前記縦框のそれぞれに前記フレーム側取付片部材を配設し、かつ前記化粧パネルの両側に位置する見付け面の下端部に前記位置決め突起部材を設けたことを特徴とする請求項１に記載の化粧パネルの取付構造。
【請求項５】
前記化粧パネルの下端から突出する状態で前記化粧パネルに前記パネル側取付片部材を配設し、前記パネル側取付片部材の下端を下框の見込み面に当接させた状態で前記化粧パネルを取り付けたことを特徴とする請求項４に記載の化粧パネルの取付構造。
【請求項６】
請求項１〜請求項５のいずれか一つに記載の取付構造を適用して前記一対の面材フレームの間に前記化粧パネルを取り付けたことを特徴とする建具。
【発明の詳細な説明】
【技術分野】
【０００１】
本発明は、面材の四周に框等の面材フレームを備えた建具に対して面材を覆うように化粧パネルを取り付けるための構造及び建具に関するものである。
【背景技術】
【０００２】
框等の面材フレームの内部に面材を備える建具では、面材に化粧パネルを取り付けるようにしたものがある。例えば、浴室の出入口に設けられた建具では、入浴者のシルエットが脱衣室側から透けて見えないようにするため、化粧パネルによって面材の一部を覆うようにしている。
【０００３】
化粧パネルを取り付けるための構造としては、面材の表面にパネルフレームを配設し、化粧パネルの両側縁部をパネルフレームに支持させるようにしているのが一般的である（例えば、特許文献１）。
【先行技術文献】
【特許文献】
【０００４】
【特許文献１】特開２０１２−１２７１７０号公報
【発明の概要】
【発明が解決しようとする課題】
【０００５】
ところで、特許文献１及び特許文献２においては、いずれもパネルフレームを面材の表面に接着するようにしている。こうした取付構造によれば、パネルフレームの取り付けに当たって障子の框の分解する必要がないため、化粧パネルの取り付け作業を容易に行うことが可能である。しかも、特許文献１及び特許文献２に記載されているように、浴室ドアにおいて脱衣室側に化粧パネルを配設するのであれば、パネルフレームと面材との接着部が直接水蒸気や高温に曝されるおそれがないため、化粧パネルの接着部に十分な耐久性を期待することが可能である。
【０００６】
しかしながら、浴室ドアにおいて浴室側に化粧パネルを配設した場合には、面材とパネルフレームとの接着部が高温多湿の状況に曝される。また、例えばテラスの周囲を覆うように構成されるテラス囲いのように、面材の一方の表面が室外に配置される建具にあっては、室外に位置する面材の表面に化粧パネルを取り付けた場合、面材とパネルフレームとの接着部が常時紫外線や雨水に曝されることになる。このため、接着部の耐久性を考慮した場合には、必ずしも好ましいとはいえない。
【０００７】
本発明は、上記実情に鑑みて、面材の表面に化粧パネルを容易に、かつ十分な取り付け強度を確保して取り付けることのできる化粧パネルの取付構造及び建具を提供することを目的とする。
【課題を解決するための手段】
【０００８】
上記目的を達成するため、本発明に係る化粧パネルの取付構造は、矩形状を成す面材の四周にそれぞれ面材フレームを備えた建具に対して、前記面材の表面を覆う状態で互いに平行に配置された一対の面材フレームの間に化粧パネルを取り付ける構造であって、前記一対の面材フレームに対向する化粧パネルの両側縁部に取り付けられ、前記化粧パネルの見込み面からそれぞれ対向する面材フレームに向けて突出したパネル側取付片部材と、前記一対の面材フレームの見込み面において少なくとも前記化粧パネルの四隅に対応する部位からそれぞれ他方の面材フレームに向けて突出するように取り付けられ、前記化粧パネルを前記面材に対向させた状態で前記一対の面材フレームの間に前記化粧パネルを配置した場合に前記パネル側取付片部材に重ね合わされるフレーム側取付片部材とを備え、前記一対の面材フレームに対向する前記化粧パネルの見込み面それぞれには、一方の端部に位置決め突起部材が突出され、前記位置決め突起部材は、前記化粧パネルを前記一対の面材フレームの間に配置した場合に前記フレーム側取付片部材の一方と前記面材との間に配置される位置に設けられ、前記位置決め突起部材を前記フレーム側取付片部材の一方と前記面材との間に配置した状態で、もう一方のフレーム側取付片部材と前記パネル側取付片部材との間にパネル取付用ネジ部材を螺合させることを特徴とする。
【０００９】
この発明によれば、位置決め突起部材をフレーム側取付片部材と面材との間に配置した場合、位置決め突起部材がフレーム側取付片部材に当接することで面材から離隔する方向へ向けて化粧パネルが移動するのを防止することができる。従って、化粧パネルを取り付ける際には、手で押さえておく必要がないため、化粧パネルの取り付け作業を容易に行うことが可能となる。しかも、フレーム側取付片部材とパネル側取付片部材との間にパネル取付用ネジ部材を螺合させるようにしているため、紫外線や雨水に曝された場合にも化粧パネルの取り付け強度に影響が及ぶことはなく、長期にわたって化粧パネルを建具に取り付けておくことが可能である。
【００１０】
また本発明は、上述した化粧パネルの取付構造において、前記化粧パネルは、前記一対の面材フレームの間に配置される大きさを有し、かつ互いに端縁部を介して着脱可能に連結される単位パネル要素を備え、前記単位パネル要素を複数連結することによって構成したことを特徴とする。
【００１１】
この発明によれば、連結する単位パネル要素の数に応じて化粧パネルの寸法を変更することが可能となる。
【００１２】
また本発明は、上述した化粧パネルの取付構造において、前記一対の面材フレームの見込み面には、前記フレーム側取付片部材よりも前記面材に近接する部分から前記フレーム側取付片部材に対向するように突出し、前記パネル側取付片部材との連結部分を覆うフレーム側カバー部材を取り付けたことを特徴とする。
【００１３】
この発明によれば、フレーム側取付片部材と面材との間にフレーム側カバー部材が介在するため、面材として透明のものを用いた場合にも、フレーム側取付片部材とパネル側取付片部材との連結部分が面材を介して視認されるおそれがない。
【００１４】
また本発明は、上述した化粧パネルの取付構造において、前記建具は、前記面材であるガラスの両端部に前記面材フレームとして縦框を備えたものであり、前記縦框のそれぞれに前記フレーム側取付片部材を配設し、かつ前記化粧パネルの両側に位置する見付け面の下端部に前記位置決め突起部材を設けたことを特徴とする。
【００１５】
この発明によれば、左右の縦框の間に化粧パネルを取り付ける場合、まず化粧パネルの下端部に設けた位置決め突起部材を縦框のフレーム側取付片部材と面材との間に配置し、その後、位置決め突起部材を中心として化粧パネルを回転させれば、化粧パネルを縦框の間に位置決めした状態で配置することができる。
【００１６】
また本発明は、上述した化粧パネルの取付構造において、前記化粧パネルの下端から突出する状態で前記化粧パネルに前記パネル側取付片部材を配設し、前記パネル側取付片部材の下端を下框の見込み面に当接させた状態で前記化粧パネルを取り付けたことを特徴とする。
【００１７】
この発明によれば、化粧パネルの下端と下框との間に隙間が確保されるため、化粧パネルと面材との間に浸入した雨水等の水は、内部に貯まることなく上記の隙間を通じて外部に排出される。
【００１８】
また本発明に係る建具は、上述したいずれか一つに記載の取付構造を適用して前記一対の面材フレームの間に前記化粧パネルを取り付けたことを特徴とする。
【００１９】
この発明によれば、位置決め突起部材をフレーム側取付片部材と面材との間に配置した場合、位置決め突起部材がフレーム側取付片部材に当接することで面材から離隔する方向へ向けて化粧パネルが移動するのを防止することができる。従って、化粧パネルを取り付ける際には、手で押さえておく必要がないため、化粧パネルの取り付け作業を容易に行うことが可能となる。しかも、フレーム側取付片部材とパネル側取付片部材との間にパネル取付用ネジ部材を螺合させるようにしているため、紫外線や雨水に曝された場合にも化粧パネルの取り付け強度に影響が及ぶことはなく、長期にわたって化粧パネルを建具に取り付けておくことが可能である。
【発明の効果】
【００２０】
本発明によれば、位置決め突起部材をフレーム側取付片部材と面材との間に配置した場合、位置決め突起部材がフレーム側取付片部材に当接することで面材から離隔する方向へ向けて化粧パネルが移動するのを防止することができる。従って、化粧パネルを取り付ける際には、手で押さえておく必要がないため、化粧パネルの取り付け作業を容易に行うことが可能となる。しかも、フレーム側取付片部材とパネル側取付片部材との間にパネル取付用ネジ部材を螺合させるようにしているため、紫外線や雨水に曝された場合にも化粧パネルの取り付け強度に影響が及ぶことはなく、長期にわたって化粧パネルを建具に取り付けておくことが可能である。
【図面の簡単な説明】
【００２１】
【図１】図１は、本発明の実施の形態である化粧パネルの取付構造を適用した建具を室外側から見た正面図である。
【図２】図２は、図１に示した建具を室外側から見た側面図である。
【図３】図３は、図１に示した建具の縦断面図である。
【図４−１】図４−１は、図１に示した建具の障子が閉じた状態の要部横断面図である。
【図４−２】図４−２は、図１に示した建具の障子が開き始めた状態の要部横断面図である。
【図４−３】図４−３は、図１に示した建具の障子が開いた状態の要部横断面図である。
【図５】図５は、図１に示した建具に適用する化粧パネルの構成を示す分解側面図である。
【図６】図６は、図１に示した建具の要部を概念的に示す分解斜視図である。
【図７−１】図７−１は、図１に示した建具の面材フレームに化粧パネルを取り付ける手順を概念的に示すもので、面材フレームと化粧パネルとを並べた側面図である。
【図７−２】図７−２は、図１に示した建具の面材フレームに化粧パネルを取り付ける手順を概念的に示すもので、化粧パネルの下端部に設けた位置決め突起部材を面材フレームのフレーム側取付片部材と面材との間に挿入した側面図である。
【図７−３】図７−３は、図７−２に示した状態から化粧パネルの上端部を面材に近接させるように移動させた状態を概念的に示す側面図である。
【図７−４】図７−４は、図７−３に示した状態から化粧パネルを面材と平行となるように配置した状態を概念的に示す側面図である。
【図８−１】図８−１は、図１に示した建具の面材フレームに化粧パネルを取り付ける手順を概念的に示すもので、面材フレームと化粧パネルとを並べた平面図である。
【図８−２】図８−２は、図８−１に示す状態から化粧パネルの下端部に設けた位置決め突起部材を面材フレームのフレーム側取付片部材と面材との間に挿入する直前の状態を示す平面図である。
【図８−３】図８−３は、図８−２に示す状態から化粧パネルの下端部に設けた位置決め突起部材を面材フレームのフレーム側取付片部材と面材との間に挿入した状態を示す平面図である。
【発明を実施するための形態】
【００２２】
以下、添付図面を参照しながら本発明に係る化粧パネルの取付構造及び建具の好適な実施の形態について詳細に説明する。
【００２３】
図１〜図４−３は、本発明の実施の形態である化粧パネルの取り付け構造を適用した建具を示したものである。ここで例示する建具は、テラス１の周囲を覆うように構成される「テラス囲い」と称されるものである。本実施の形態では、家屋２の外壁面から互いに平行となるように突出した左右の側面壁３Ａと、左右の側面壁３Ａの突出端縁部間に設けられる前面壁３Ｂと、側面壁３Ａ及び前面壁３Ｂによって囲まれる空間の上面を覆うように設けられる上面壁３Ｃとを備えたテラス囲いを例示している。図１及び図２からも明らかなように、前面壁３Ｂは、左右方向に沿った寸法が側面壁３Ａの左右方向に沿った寸法のおよそ１．５倍となるように構成してある。側面壁３Ａ及び前面壁３Ｂは、それぞれテラス１から立設した柱４と、柱４の上端部間に掛け渡した梁５とによって構成した開口部に開口枠１０及び折れ戸２０を配設することによって構成したものである。
【００２４】
開口枠１０は、上枠１１、下枠１２及び左右の縦枠１３を四周枠組みすることによって構成したものである。上枠１１、下枠１２及び左右の縦枠１３は、それぞれアルミニウムやアルミニウム合金等の金属の押し出し形材から成るものである。折れ戸２０は、図４−１〜図４−３に示すように、左右２枚の障子２０Ａと、２枚の障子２０Ａの間を互いに折り曲げ可能に連結した連結枠２０Ｂとを備えて構成したものである。本実施の形態では、図１及び図２に示すように、側面壁３Ａに２組の折れ戸２０が配設してあり、前面壁３Ｂに３組の折れ戸２０が配設してある。
【００２５】
折れ戸２０の障子２０Ａは、矩形状を成すガラス（面材）２１の四周にそれぞれ上框２２、下框２３及び左右の縦框（面材フレーム）２４を装着することによって構成したものである。図３及び図４−１に示すように、本実施の形態では、アルミニウムやアルミニウム合金等の金属の押し出し形材から成る金属框部分２２ａ，２３ａ，２４ａと、樹脂の押し出し形材から成る樹脂框部分２２ｂ，２３ｂ，２４ｂとを有し、互いの間に断熱材２２ｃ，２３ｃ，２４ｃを介在させて連結した上框２２、下框２３、縦框２４を適用している。
【００２６】
それぞれの框２２，２３，２４においてガラス２１よりも室外側に位置する見込み面には、パネル保持材２５が設けてある。パネル保持材２５は、アルミニウムやアルミニウム合金等の金属の押し出し形材から成るもので、見込み方向に沿った保持面がガラス２１の表面に直交する状態で、框２２，２３，２４の金属框部分２２ａ，２３ａ，２４ａに取り付けてある。パネル保持材２５の室内側に位置する部分には、ガラス２１の室外側に臨む表面との間に外方タイト材２６ａが設けてある。また、障子２０Ａのガラス２１には、室内側に臨む表面に対しても框２２，２３，２４との間に内方タイト材２６ｂが配設してある。図からも明らかなように、下框２３の内方タイト材２６ｂは、直接樹脂框部分２３ｂに保持させてある。これに対して上框２２及び左右の縦框２４の内方タイト材２６ｂは、それぞれの樹脂框部分２２ｂ，２４ｂに装着した押縁部材２７に保持させてある。尚、本実施の形態で適用する框２２，２３，２４は、パネル保持材２５を取り外した後、金属框部分２２ａ，２３ａ，２４ａに外方タイト材２６ａを付け替えれば、内方タイト材２６ｂとの間に複層ガラスを保持することができるように構成したものである。
【００２７】
１組の折れ戸２０を構成する２枚の障子２０Ａには、隣設する縦框２４の互いに対応する複数箇所にそれぞれ框ヒンジ２８が設けてある。框ヒンジ２８は、樹脂框部分２４ｂの隅部から見込み方向に沿って突出した框ヒンジヒレ部２８ａと、縦框２４の延在方向に沿った円筒状を成し、框ヒンジヒレ部２８ａの突出端部に連結した框軸挿通部２８ｂとを有したもので、樹脂框部分２４ｂと一体に成形してある。
【００２８】
連結枠２０Ｂは、図には明示していないが、障子２０Ａの縦框２４とほぼ同じ長さを有した柱状部材であり、一方の見付け面に操作ハンドル２０Ｂ１を備えている。連結枠２０Ｂには、隣設する障子２０Ａの縦框２４の間に配置した場合に、それぞれの縦框２４に設けた框ヒンジ２８の間に対応する部位に枠ヒンジ２９が設けてある。枠ヒンジ２９は、框ヒンジ２８と同様、連結枠２０Ｂの隣設する２つの隅部から見込み方向に沿って突出した枠ヒンジヒレ部２９ａと、枠ヒンジ２９の延在方向に沿った円筒状を成し、枠ヒンジヒレ部２９ａの突出端部に連結した枠軸挿通部２９ｂとを有したものである。この連結枠２０Ｂは、枠ヒンジ２９の枠軸挿通部２９ｂと、縦框２４の框軸挿通部２８ｂとの間にわたってヒンジ軸２９ｃを挿通させることにより、鉛直方向に沿った軸心を中心として回転可能となる状態でそれぞれの縦框２４に連結してある。
【００２９】
図４−１からも明らかなように、２枚の障子２０Ａを一直線上となるように配置した場合には、連結枠２０Ｂの操作ハンドル２０Ｂ１を設けた見付け面が障子２０Ａの縦框２４の間に露出した状態となる。これに対して連結枠２０Ｂのもう一方の見付け面は、それぞれ縦框２４の金属框部分２４ａに設けたカバーヒレ部２４ｄによって覆われた状態となる。
【００３０】
上記のように構成した折れ戸２０は、樹脂框部分２２ｂ，２３ｂ，２４ｂが室内側となる状態でそれぞれ開口枠１０の内部に並設した状態で配置する。それぞれの開口枠１０において両側に配置される障子２０Ａについては、縦框２４と開口枠１０の縦枠１３との間を連結ヒンジ３０によって連結している。連結ヒンジ３０は、鉛直方向に沿った軸心を中心に互いに回転可能となる状態で縦框２４と縦枠１３との間を連結するものである。図１において前面壁３Ｂの左方に配置した折れ戸２０と、中央に配置した折れ戸２０については、互いの間に可動方立３１を介在させ、隣設する縦框２４と可動方立３１との間をそれぞれ連結ヒンジ（図示せず）によって連結するようにしている。縦框２４と可動方立３１との間に介在させる連結ヒンジは、縦框２４と開口枠１０の縦枠１３との間の連結ヒンジ３０と同様、鉛直方向に沿った軸心を中心に互いに回転可能となる状態で縦框２４と可動方立３１との間を連結するものである。また、折れ戸２０において縦枠１３もしくは可動方立３１に連結していない縦框２４については、連結ヒンジ３０により鉛直方向に沿った軸心を中心に回転可能となる状態で可動縦枠３２に連結している。可動方立３１及び可動縦枠３２は、それぞれ上枠１１の長手方向に沿って移動可能となる状態で上枠１１と下枠１２との間に配設したものである。
【００３１】
図１及び図２に示すように、折れ戸２０を構成する障子２０Ａを一直線上となるように配置した場合には、前面壁３Ｂの開口枠１０及び側面壁３Ａの開口枠１０が折れ戸２０を構成する障子２０Ａによって閉じた状態となる。この状態から操作ハンドル２０Ｂ１を介して連結枠２０Ｂを室外側に押圧すると、図７−２及び図７−３に示すように、可動縦枠３２が縦枠１３に近接する方向に移動するとともに、２枚の障子２０Ａが室外側に向けて屈曲することになり、開口枠１０を開くことが可能となる。図７−２及び図７−３に示す状態から操作ハンドル２０Ｂ１を介して連結枠２０Ｂを室内側に引き寄せると、可動縦枠３２が縦枠１３から離隔する方向に移動するとともに、２枚の障子２０Ａが一直線上となるように配置され、再び開口枠１０を閉じることが可能となる。
【００３２】
上述したようにそれぞれの障子２０Ａには、面材としてガラス２１が配設してあるため、開口枠１０を閉じた状態にあっても、室外側からテラス１の内部を視認することが可能である。従って、利用者によっては、室外側からの視認性を制限したいという要望が起こり得る。このため、本実施の形態のテラス囲いには、それぞれの障子２０Ａにおいてガラス２１の室外側に臨む外表面を覆うための化粧パネル４０が用意してある。
【００３３】
化粧パネル４０は、図５に示すように、複数の単位パネル要素４０Ａを１枚もしくは複数枚連結することによって構成したものである。単位パネル要素４０Ａは、アルミニウムやアルミニウム合金等の金属の押し出し形材から成るもので、パネル保持材２５の見込み方向に沿った寸法よりもわずかに小さい板厚を有し、左右方向に沿った横長矩形の平板状を成している。単位パネル要素４０Ａの左右方向に沿った寸法は、障子２０Ａにおいて左右の縦框２４の間に配置することができ、かつガラス２１の外表面を覆う隠すことのできる長さに形成してある。単位パネル要素４０Ａの上下方向に沿った寸法は、予め設定した枚数（図示の例では１０枚）だけ上下に連結した場合に、ガラス２１の外表面をすべて覆うことができるように設定してある。図には明示していないが、単位パネル要素４０Ａの両外表面には、それぞれ木目調の樹脂フィルムが貼り付けてある。
【００３４】
それぞれの単位パネル要素４０Ａには、上面に一対の係止片部４１が設けてある一方、下面に一対の溝用ヒレ部４２が設けてある。係止片部４１は、単位パネル要素４０Ａの上面から上方に向けて互いに平行に突出したヒレ状部分である。それぞれの係止片部４１には、外側に位置する表面に係止突起４１ａが設けてある。溝用ヒレ部４２は、単位パネル要素４０Ａの下面から下方に向けて突出したヒレ状部分であり、互いの間に圧入溝４３を構成している。圧入溝４３は、一対の係止片部４１を圧入することのできる幅に構成してある。
【００３５】
上述の構成を有する単位パネル要素４０Ａは、上下に並設して一対の係止片部４１を圧入溝４３に挿入すると、一対の係止片部４１が互いに内方に撓みながら圧入溝４３に圧入され、ガタ付くことなく互いに連結される。所望となる枚数の単位パネル要素４０Ａを上下に並設した後、最上端に位置する単位パネル要素４０Ａに笠木部材４４を装着すれば、係止片部４１を覆い隠すことができ、意匠性を考慮し、かつ所望の高さを有した化粧パネル４０が構成されることになる。
【００３６】
以下、図６、図７−１〜図７−４及び図８−１〜図８−３を適宜参照しながら、化粧パネル４０の取付構造について説明し、併せて本願発明の特徴部分について詳述する。
【００３７】
まず、この取付構造においては、図６、図７−１及び図８−１に示すように、化粧パネル４０の左右に位置する側面の全長にそれぞれパネル側取付片部材５０を取り付ける。パネル側取付片部材５０は、化粧パネル４０の板厚とほぼ同じ長さを有した平板状を成すパネル側基板部５１と、パネル側基板部５１の一側縁部から略直角方向に屈曲した平板状を成すパネル側取付板部５２とを有したものである。このパネル側取付片部材５０は、パネル側取付板部５２が化粧パネル４０の一方の外表面とほぼ同じ平面上に位置する状態でパネル側基板部５１を介して化粧パネル４０の両側面にそれぞれ複数の取付ネジ５３を螺合することによって固定してある。図７−１からも明らかなように、パネル側取付片部材５０は、化粧パネル４０の上下方向に沿った寸法よりも大きな長さを有しており、個々の下端部が化粧パネル４０の下面よりも下方に突出している。
【００３８】
一方、それぞれの障子２０Ａには、図６、図７−１及び図８−１に示すように、左右の縦框２４のパネル保持材２５にフレーム側カバー部材６０及びフレーム側取付片部材７０が取り付けてある。フレーム側カバー部材６０は、パネル保持材２５の見込み方向に沿った幅とほぼ同じ幅を有した平板状を成すカバー側基板部６１と、カバー側基板部６１の一側縁部から略直角方向に屈曲した平板状を成すカバー板部６２とを有したものである。このフレーム側カバー部材６０は、カバー板部６２がパネル保持材２５の室内側に位置する縁部から突出した状態でカバー側基板部６１を介してパネル保持材２５にそれぞれ複数の取付ネジ６３を螺合することにより、パネル保持材２５の全長にわたる部位に固定してある。カバー板部６２とガラス２１との間には、外方タイト材２６ａの分だけ隙間が確保してある。
【００３９】
フレーム側取付片部材７０は、フレーム側カバー部材６０のカバー側基板部６１よりも幅の狭い平板状を成すフレーム側基板部７１と、フレーム側基板部７１の一側縁部から略直角方向に屈曲した平板状を成すフレーム側取付板部７２とを有したものである。このフレーム側取付片部材７０は、フレーム側取付板部７２がパネル保持材２５の室外側に位置する縁部から突出した状態でフレーム側基板部７１を介してパネル保持材２５にそれぞれ複数の取付ネジ６３を螺合することによってパネル保持材２５に固定してある。フレーム側取付片部材７０を取り付ける場合には、フレーム側カバー部材６０を取り付けるための取付ネジ６３によって共締めするようにすれば良い。フレーム側取付片部材７０を取り付ける位置は、取り付ける化粧パネル４０の四隅に対応する部位である。化粧パネル４０の上下寸法が大きい場合には、上下方向の中間部にフレーム側取付片部材７０を追加しても良い。図８−１に示すように、フレーム側カバー部材６０及びフレーム側取付片部材７０をパネル保持材２５に取り付けた状態においては、フレーム側取付板部７２よりもカバー板部６２が大きく突出しており、ガラス２１を通じて室内側から見た場合、フレーム側取付片部材７０を視認することが困難となる。
【００４０】
下方のフレーム側取付片部材７０は、化粧パネル４０を下框２３に設けたパネル保持材２５の上面に当接させた場合にもっとも下方に螺合したパネル側取付片部材５０の取付ネジ（位置決め突起部材）５３′とフレーム側取付板部７２とが当接できる位置に取り付ける。一方、上方のフレーム側取付片部材７０（中間部に追加したフレーム側取付片部材７０を含む）は、化粧パネル４０を下框２３に設けたパネル保持材２５の上面に当接させた場合に、フレーム側取付板部７２がパネル側取付片部材５０に螺合したいずれの取付ネジ５３とも当接しない位置に取り付けるようにしている。尚、本実施の形態では、パネル側取付片部材５０、フレーム側カバー部材６０及びフレーム側取付片部材７０として、いずれもアルミニウムやアルミニウム合金等の金属によって成形したものを適用している。
【００４１】
上記のようにして化粧パネル４０にパネル側取付片部材５０を取り付けるとともに、障子２０Ａの縦框２４にフレーム側カバー部材６０及びフレーム側取付片部材７０を取り付けた後においては、図７−２及び図８−２に示すように、化粧パネル４０の下端部がガラス２１の外表面に近接するように傾斜させ、この状態から化粧パネル４０のもっとも下方に螺合した取付ネジ５３′のネジ頭部をガラス２１とフレーム側取付片部材７０のフレーム側取付板部７２との間に上方から挿入する。
【００４２】
この状態から、図７−３に示すように、化粧パネル４０の下端縁を中心として上端部がガラス２１の外表面に近接するように化粧パネル４０を回転させれば、図７−４及び図８−３に示すように、フレーム側取付片部材７０のフレーム側取付板部７２に対してパネル側取付片部材５０のパネル側取付板部５２が重ね合わされることになる。従って、これらフレーム側取付板部７２及びパネル側取付板部５２にわたってパネル取付用ネジ部材Ｂを螺合すれば、所望の高さを有した化粧パネル４０を障子２０Ａに取り付けることができる。従って、障子２０Ａのガラス２１において外部から視認できる範囲は、化粧パネル４０よりも上方に位置する部分に制限されることになる。
【００４３】
化粧パネル４０の上下方向に沿った寸法は、上述したように、並設する単位パネル要素４０Ａの数を変更することで調整することが可能である。例えば、図１においては、単位パネル要素４０Ａを１０枚並設した化粧パネル４０と、単位パネル要素４０Ａを７枚並設した化粧パネル４０とを例示している。これらの化粧パネル４０を比較すれば明らかなように、並設する単位パネル要素４０Ａの数を増やせば、ガラス２１において外部から視認できる範囲を狭くすることがで、逆に、単位パネル要素４０Ａの数を減らせば、室内を明るくすることができる等、利用者の要求に応じて対応することが可能になる。
【００４４】
しかも、化粧パネル４０の取り付けに当たっては、障子２０Ａの框２２，２３，２４を分解する必要がない。また、パネル取付用ネジ部材Ｂを螺合する以前に、化粧パネル４０のもっとも下方に螺合した取付ネジ５３′のネジ頭部をガラス２１とフレーム側取付片部材７０のフレーム側取付板部７２との間に上方から挿入すれば、パネル取付用ネジ部材Ｂを螺合する際に化粧パネル４０を手で押さえておく必要がない。従って、化粧パネル４０の取り付け作業は、作業者が一人で容易に実施することが可能であり、作業性の点できわめて有利となる。
【００４５】
さらに、パネル取付用ネジ部材Ｂによって螺合したフレーム側取付片部材７０のフレーム側取付板部７２とパネル側取付片部材５０のパネル側取付板部５２との間の取り付け強度は、紫外線や雨水に曝された場合にも影響されることはない。従って、化粧パネル４０を屋外に取り付けた場合にも、長期にわたって十分な取り付け強度を確保することができる。加えて、フレーム側取付片部材７０のフレーム側取付板部７２とパネル側取付片部材５０のパネル側取付板部５２との連結部分は、室内側に位置する部分がフレーム側カバー部材６０のカバー板部６２によって覆われた状態にある。従って、フレーム側取付片部材７０のフレーム側取付板部７２とパネル側取付片部材５０のパネル側取付板部５２との連結部分がガラス２１を通じて室内側から視認されるおそれはなく、テラス囲いに高い意匠性を確保することができる。
【００４６】
また、パネル側取付片部材５０の下端部を化粧パネル４０の下面よりも下方に突出させているため、障子２０Ａに取り付けた状態において化粧パネル４０の下端面と下框２３に設けたパネル保持材２５の上面との間に隙間が確保される。このため、化粧パネル４０とガラス２１との間に浸入した雨水や塵埃が化粧パネル４０とガラス２１との間に滞留することはなく、上述の隙間から容易に外部に排出することができる。さらに、パネル取付用ネジ部材Ｂを弛緩すれば、化粧パネル４０を容易に取り外すことができ、化粧パネル４０とガラス２１との隙間の掃除を容易に実施することが可能である。
【００４７】
尚、上述した実施の形態では、テラス囲いに適用する化粧パネル４０の取付構造を例示しているが、その他の建具にももちろん適用することが可能である。この場合、障子２０Ａが左右方向にスライドするものに限らず、上げ下げ窓のように障子が上下にスライドするものであっても良いし、開き窓のように障子が面外方向に開くものや、はめ殺し窓にも適用することが可能である。面材としては必ずしもガラス２１である必要はない。また、障子２０Ａの縦框２３にフレーム側取付片部材７０を設けるようにしているが、上框及び下框にそれぞれフレーム側取付片部材を設け、上框とした框との間に化粧パネルを保持させるようにしても良い。框の構成として、断熱材を介して連結した金属框部分と樹脂框部分とを備えたものを例示しているが、本発明はこれに限定されない。
【００４８】
さらに、上述した実施の形態では、単位パネル要素４０Ａを１枚もしくは複数枚連結することによって化粧パネル４０を構成しているが、本発明の化粧パネルは必ずしも単位パネル要素からなるものに限らない。尚、単位パネル要素を複数枚連結する場合に上述した実施の形態では、一方の端部を他方の端部に圧入するように構成しているが、一方の端部を他方の端部に嵌合するように構成しても良いし、一方の端部を他方の端部に単に配置するようにしても構わない。また、化粧パネル４０としては、必ずしも面材の表面を完全に覆うものである必要はなく、格子状に構成したものやルーバーによって構成したものを適用しても良い。
【００４９】
また、上述した実施の形態では、位置決め突起部材として、パネル側取付片部材５０を取り付ける取付ネジ５３′のネジ頭部を利用しているが、専用の位置決め突起部材を設けるようにしてももちろん良い。
【符号の説明】
【００５０】
２１…ガラス、２４…縦框、２５…パネル保持材、４０…化粧パネル、４０Ａ…単位パネル要素、４１…係止片部、４１ａ…係止突起、４２…溝用ヒレ部、４３…圧入溝、５０…パネル側取付片部材、５１…パネル側基板部、５２…パネル側取付板部、５３′…取付ネジ、６０…フレーム側カバー部材、６１…カバー側基板部、６２…カバー板部、６３…取付ネジ、７０…フレーム側取付片部材、７１…フレーム側基板部、７２…フレーム側取付板部、Ｂ…パネル取付用ネジ部材
【図１】
0006437326.tif 000002
【図２】
0006437326.tif 000003
【図３】
0006437326.tif 000004
【図４−１】
0006437326.tif 000005
【図４−２】
0006437326.tif 000006
【図４−３】
0006437326.tif 000007
【図５】
0006437326.tif 000008
【図６】
0006437326.tif 000009
【図７−１】
0006437326.tif 000010
【図７−２】
0006437326.tif 000011
【図７−３】
0006437326.tif 000012
【図７−４】
0006437326.tif 000013
【図８−１】
0006437326.tif 000014
【図８−２】
0006437326.tif 000015
【図８−３】
0006437326.tif 000016